(57)【要約】【課題】パネルを板金で製作する場合に、表示シートの項目表示部を明るく光らせることができる表示盤を提供する。【解決手段】項目表示部２１を有する表示シート２と、表示シート２の後側に重なって設けられる板金の第１パネル３と、第１パネル３の後側に重なって設けられる第２パネル４と、第２パネル４の後側に重なって設けられるＬＥＤ基板（発光部）５と、を有し、第１パネル３には、項目表示部２１の後側に重なる位置に第１貫通孔３４が形成され、第２パネル４には、第１貫通孔３４の後側に重なる位置に第２貫通孔４１が形成され、ＬＥＤ基板５は、第２貫通孔４１の後側に重なる位置にＬＥＤランプ（発光体）５１が設けられ、ＬＥＤランプ５１が発光した光は、第１貫通孔３４および第２貫通孔４１を通過し、表示シート２の前側から視認されるように構成され、第２パネル４は、第２貫通孔４１の側方へ光が透過しないように構成されている。【選択図】図３
2019032421.tif 000002
【特許請求の範囲】
【請求項１】
表示項目が表示された項目表示部を有する表示シートと、
前記表示シートの後側に重なって設けられる板金の第１パネルと、
前記第１パネルの後側に重なって設けられる第２パネルと、
前記第２パネルの後側に重なって設けられる発光部と、を有し、
前記第１パネルには、前記項目表示部の後側に重なる位置に第１貫通孔が形成され、
前記第２パネルには、前記第１貫通孔の後側に重なる位置に第２貫通孔が形成され、
前記発光部は、前記第２貫通孔の後側に重なる位置に発光体が設けられ、
前記発光体が発光した光は、前記第１貫通孔および前記第２貫通孔を通り、前記表示シートの前側から視認されるように構成され、
前記第２パネルは、前記第２貫通孔の側方へ光が透過しないように構成されていることを特徴とする表示盤。
【請求項２】
前記第２パネルは、弾性変形可能に構成されていることを特徴とする請求項１に記載の表示盤。
【請求項３】
前記第２パネルは、絶縁材で構成されていることを特徴とする請求項１または２に記載の表示盤。
【請求項４】
前記第２パネルは、前後方向に重なった複数の層を有し、
前記複数の層には、それぞれ前後方向に重なる位置に第２貫通孔を形成するための開口部が形成され、
前記複数の層は、後側に配置された層の開口部よりも前側に配置された層の開口部の方が大きく形成されていることを特徴とする請求項１乃至３のいずれか一項に記載の表示盤。
【発明の詳細な説明】
【技術分野】
【０００１】
本発明は、防災盤に設けられる表示盤に関する。
【背景技術】
【０００２】
従来、防災盤に設けられる表示盤として、例えば、火災やガス漏れなどの非常事態の種類や、防災対象範囲の部屋名や区画名などが文字やマークで表示され、発生した非常事態の種類や、非常事態の発生場所が表示された部分を光らせて周知させるものが知られている（例えば、特許文献１参照）。例えば、火災報知システムの制御機能を有する受信機や、所定の位置に配置されて表示を行う副受信機等が該当する。
このような表示盤は、文字やマークが記載された表示シートと、表示シートが取り付けられるパネルと、パネルの後側に設けられたＬＥＤ基板などの発光部と、を有している。パネルには孔部が形成されていて、発光部から発光された光が孔部を通って表示シートの文字やマークが記載された部分を後側から照らし、表示盤の前側にいる人が、表示シートの照らされた文字やマークを視認するように構成されている。
【０００３】
パネルには、孔部の縁部全周から後側に突出する筒状のリブが一体に設けられていて、発光部の光が筒状のリブの内側を通って表示シートを後側から照らすように構成されたものがある。リブは、遮光性を有していて、発光部の光をリブの側方に漏らさないように構成されている。これにより、リブの内側とリブの側方との明るさの差が明確となるため、表示シートの文字やマークをその周囲よりもより明るく光らせることができる。
パネルおよびリブをプラスチックの成形品とする場合、パネルおよびリブをプラスチックで一体に成形できるため、パネルおよびリブを容易に製作することができる。
【先行技術文献】
【特許文献】
【０００４】
【特許文献１】特開２０１７−６８５２４号公報
【発明の概要】
【発明が解決しようとする課題】
【０００５】
これに対し、パネルを板金で製作する場合は、上記のようなリブをパネルと一体に成形することが容易ではない。また、発光部が基板により構成されている場合、リブが基板に接触することで短絡が生じる虞がある。
このため、パネルを板金で製作する場合に、上記のようなリブを設けなくても表示シートの所望の場所を明るく光らせることができる表示盤が望まれている。
【０００６】
そこで、本発明は、パネルを板金で製作する場合に、表示シートの所望の場所を明るく光らせることができる表示盤を提供することを目的とする。
【課題を解決するための手段】
【０００７】
上記目的を達成するため、本発明に係る表示盤は、表示項目が表示された項目表示部を有する表示シートと、前記表示シートの後側に重なって設けられる板金の第１パネルと、前記第１パネルの後側に重なって設けられる第２パネルと、前記第２パネルの後側に重なって設けられる発光部と、を有し、前記第１パネルには、前記項目表示部の後側に重なる位置に第１貫通孔が形成され、前記第２パネルには、前記第１貫通孔の後側に重なる位置に第２貫通孔が形成され、前記発光部は、前記第２貫通孔の後側に重なる位置に発光体が設けられ、前記発光体が発光した光は、前記第１貫通孔および前記第２貫通孔を通り、前記表示シートの前側から視認されるように構成され、前記第２パネルは、前記第２貫通孔の側方へ光が透過しないように構成されていることを特徴とする。
【０００８】
本発明では、第１パネルの後側に第１パネルの第１貫通孔と重なるように第２貫通孔が形成された第２パネルが配置され、第２パネルが第２貫通孔の側方へ光が透過しないように構成されている。これにより、発光体の光を第２貫通孔の側方に漏らさずに表示シートの項目表示部に当てることができ、第２貫通孔の内側と側方との明るさの差が明確となるため、表示シートの項目表示部をその周囲よりもより明るく光らせることができる。
【０００９】
また、本発明に係る表示盤では、前記第２パネルは、弾性変形可能に構成されていてもよい。
このような構成とすることにより、第２パネルを弾性変形させて第１パネルに追従させて密着させることができ、第１パネルと第２パネルとの隙間から発光体の光が漏れることを防止できる。また、第１パネルと第２パネルとの間に寸法の誤差が生じたとしても、第２パネルを弾性変形させることにより寸法の誤差を吸収することができる。また、第１パネルにそり等の凹凸が生じたとしても同様に吸収することができる。
また、第２パネルを弾性変形させ発光部に追従させて密着させることができるため、発光部と第２パネルとの間に寸法の誤差が生じたとしても、第２パネルを弾性変形させることにより寸法の誤差を吸収することができる。
【００１０】
また、本発明に係る表示盤では、前記第２パネルは、絶縁材で構成されていてもよい。
このような構成とすることにより、発光部が例えば基板で構成されている場合であっても、第２パネルが発光部と接触したときに短絡が生じる虞がない。
【００１１】
また、本発明に係る表示盤では、前記第２パネルは、前後方向に重なった複数の層を有し、前記複数の層には、それぞれ前後方向に重なる位置に第２貫通孔を形成するための開口部が形成され、前記複数の層は、後側に配置された層の開口部よりも前側に配置された層の開口部の方が大きく形成されていてもよい。
このような構成とすることにより、第２貫通孔を後側から前側に向かって径が大きくなるテーパ状に形成することができる。第２パネルが、例えば１枚の板状のスポンジであると、テーパ状の第２貫通孔を形成しにくいが、第２パネルが、複数のスポンジの層であると、複数の層のそれぞれに径を変えて開口部を形成することで、テーパ状の第２貫通孔を容易に形成することができる。
第２貫通孔をテーパ状に形成することにより、発光体の光を拡散させつつ所望の範囲に照らすことができる。
【発明の効果】
【００１２】
本発明によれば、パネルを板金で製作する場合に、表示シートの項目表示部を明るく光らせることができる。
【図面の簡単な説明】
【００１３】
【図１】（ａ）は本発明の第１実施形態による表示盤の正面図、（ｂ）は本発明の第１実施形態による表示盤の上面図、（ｃ）は本発明の第１実施形態による表示盤の側面図である。
【図２】本発明の第１実施形態による表示盤の分解斜視図である。
【図３】図１（ａ）のＡ−Ａ線断面図である。
【図４】図１（ａ）のＢ−Ｂ線断面図である。
【図５】本発明の第２実施形態による表示盤を説明する図である。
【発明を実施するための形態】
【００１４】
（第１実施形態）
以下、本発明の第１実施形態による表示盤について、図１乃至図４に基づいて説明する。
図１に示すように、第１実施形態による表示盤１は、防災盤（不図示）に設けられていて、防災対象領域における火災やガス漏れなどの非常事態の種類、その発生場所および盤の状態を表示するように構成されている。防災盤は、防災対象領域に設けられている火災やガス漏れなどを検知する検知器および発信機からの信号を受信する受信部（不図示）を有している。防災盤は、受信部が受信した検知信号に基づいて、火災やガス漏れのなどの非常事態の種類、その発生場所および盤の状態を表示盤１に表示するように構成されている。
【００１５】
「盤の状態」とは、例えば、表示盤１に設けられたスイッチ注意灯や蓄積中灯、地区音響一時停止中灯などによって表示されている。例として挙げたスイッチ注意灯は、防災盤に設けられた各種スイッチまたは、各種スイッチのうちの特定のスイッチが定位でない状態を点灯や点滅によって表示するように構成されている。また、蓄積中灯は、感知器からの火災信号を一定時間継続して検知すると火災警報を出し、一定時間継続して検知しないと検知器からの火災信号を一旦復旧する設定である場合における、火災信号を検知しているが火災警報を出していない状態を点灯や点滅によって表示するように構成されている。また、地区音響一時停止中灯は、非常ベルなどの地区音響を一時停止している状態を点灯や点滅などで表示するように構成されている。
【００１６】
表示盤１は、表示面（表示シート２の内容を視認できる一方の面２ａ）が鉛直面となる向きで防災盤に設けられている。以下の説明では、表示盤１の表示面が向く側を前側とし、その反対側を後側とする。前側と後側を結ぶ水平方向を前後方向とし、前後方向に直交する水平方向を幅方向とする。また、表示盤１の各部材は、表示盤１が防災盤に取り付けられているときの向きであるものとする。
【００１７】
表示盤１は、表示シート２と、表示シート２の後側に設けられた板金の第１パネル３と、第１パネル３の後側に設けられた第２パネル４と、第２パネル４の後側に設けられたＬＥＤ基板（発光部）５と、ＬＥＤ基板５を第２パネル４に固定する固定ネジ６と、を有している。
【００１８】
表示シート２は、樹脂や紙などで横長な長方形のシート状に形成されている。表示シート２の一方の面２ａには、火災やガス漏れなどの非常事態の種類、防災対象領域の区画名や部屋名、および盤の状態などの表示項目が表示された項目表示部２１が複数設けられている。複数の項目表示部２１は、表示する内容によって大きさや形状が設定されている。
【００１９】
本実施形態では、横長の長方形状の項目表示部２１、大径の円形状の項目表示部２１および小径の円形状の項目表示部２１がそれぞれ設けられている。
長方形状の項目表示部２１は、縦に５個ずつ、横に２個ずつ計１０個配列されている。長方形状の項目表示部２１には、例えば、盤の状態が文字やマークなどで記載されている。
大径の円形状の項目表示部２１は、縦に２個配列されている。大径の円形状の項目表示部２１には、例えば、火災やガス漏れなどの警報内容が文字やマークなどで記載されている。
小径の円形状の項目表示部２１は、縦に１０個配列されている。小径の円形状の項目表示部２１には、が文字やマークなどが記載されておらず、表示シートにおける小径の円形状の項目表示部２１隣接する場所に警報内容や盤の状態などが記載されている。
表示シート２は、一方の面２ａが前側を向き、上下方向よりも幅方向に長くなる向きに配置されている。
【００２０】
表示シート２は、少なくとも項目表示部２１が後側に配置されたＬＥＤ基板５のＬＥＤランプ５１が発光した光を後側から前側に透過可能に構成されている。このため、ＬＥＤランプ５１が発光すると、表示シート２の前側（表示盤１の前側）にいる人が項目表示部２１が明るく光っていることを認識できるように構成されている。表示シート２には、項目表示部２１におけるＬＥＤランプ５１が配置されている部分だけが他よりも明るく光る点発光を防止するために、光を拡散させるシートが貼られたり、光を拡散させる塗料が塗られたりしている。
【００２１】
第１パネル３は、板金で形成されている。
第１パネル３は、板面の外形が表示シート２と略同じ、またはやや大きな横長な長方形となるように形成されている。第１パネル３は、板面が前後方向を向き、上下方向よりも幅方向に長くなる向きに配置されている。
【００２２】
第１パネル３には、表示シート２の複数の項目表示部２１それぞれの後側となる位置に項目表示部２１と略同じ大きさの第１貫通孔３４がそれぞれ形成されている。本実施形態では、項目表示部２１の形状に合わせて、横長の長方形状の第１貫通孔３４、大径の円形状の第１貫通孔３４、および小径の円形状の第１貫通孔３４がそれぞれ設けられている。
長方形状の第１貫通孔３４は、縦に５個ずつ、横に２個ずつ計１０個配列されている。大径の円形状の第１貫通孔３４は、縦に２個配列されている。小径の円形状の第１貫通孔３４は、縦に１０個配列されている。
【００２３】
第２パネル４は、発泡樹脂やゴムなどの弾性変形可能な材料で、板面の外形が横長の長方形となる平板状に形成されている。第２パネル４の外形の長方形は、第１パネル３の外形よりも小さい長方形に設定されている。
第２パネル４は、第１パネル３よりも厚さ寸法が大きく設定されている。第２パネル４は、板面が前後方向を向き、上下方向よりも幅方向に長くなる向きに配置されている。第２パネル４は、第１パネル３よりも外形が小さく設定されているが、第１パネル３の第１貫通孔３４が形成されている部分の後側に重なるように配置されている。
【００２４】
第２パネル４には、第１パネル３の複数の第１貫通孔３４それぞれの後側となる位置に第１貫通孔３４と略同じ大きさの第２貫通孔４１がそれぞれ形成されている。本実施形態では、第１貫通孔３４の形状に合わせて、横長の長方形状の第２貫通孔４１、大径の円形状の第２貫通孔４１および小径の円形状の第２貫通孔４１がそれぞれ設けられている。長方形状の第２貫通孔４１は、縦に５個ずつ、横に２個ずつ計１０個配列されている。大径の円形状の第２貫通孔４１は、縦に２個配列されている。小径の円形状の第２貫通孔４１は、縦に１０個配列されている。
第２パネル４は、第２貫通孔４１以外の部分がＬＥＤランプ５１の光を透過しにくい構成となっている。例えば、第２パネル４の表面の色がＬＥＤランプ５１の光を透過しにくい黒や濃い青色などとなっている。
【００２５】
ＬＥＤ基板５は、複数のＬＥＤランプ（発光体）５１と、リード線５２と、複数のＬＥＤランプ５１を支持する基板本体５３と、を有している。基板本体５３は、板面の外形が第２パネル４の板面の外形と略同じ横長の長方形となる平板状に形成されている。ＬＥＤ基板５は、基板本体５３の板面が前後方向を向き、上下方向よりも幅方向に長くなる向きに配置されている。このように配置された状態における基板本体５３の前側の面を前面とし、後側の面を後面とする。
【００２６】
ＬＥＤランプ５１は、基板本体５３の前面に取り付けられている。ＬＥＤランプ５１は、第２パネル４の複数の第２貫通孔４１それぞれの後側となる位置に取り付けられている。なお、ＬＥＤランプ５１は、１つの第２貫通孔４１の後側に１つだけ設けられてもよいし、複数設けられてもよい。ＬＥＤランプ５１は、挿入実装式のＬＥＤでもよいし、表面実装式のＬＥＤであってもよい。
ＬＥＤランプ５１の前側には、第１貫通孔３４および第２貫通孔４１を通して表示シート２の項目表示部２１が対向して配置されている。ＬＥＤランプ５１が発光する光の色は、対向する項目表示部２１の内容に応じて適宜設定されている。
リード線５２は、基板本体５３から引き出され、防災盤に設けられたコネクタ（不図示）に接続可能に接続されている。
【００２７】
このような表示盤１は、表示シート２、第１パネル３、第２パネル４およびＬＥＤ基板５の順に前側から後側に向かって重なった状態で防災盤に取り付けられている。例えば、表示シート２、第１パネル３、第２パネル４は、接着されて重なっていて、ＬＥＤ基板５は固定ネジ６で第２パネル４に固定されて重なっている。
表示シート２、第１パネル３、第２パネル４およびＬＥＤ基板５が前後方向に重なると、表示シート２の項目表示部２１、第１パネル３の第１貫通孔３４、第２パネル４の第２貫通孔４１およびＬＥＤ基板５のＬＥＤランプ５１が前後方向に重なることになる。この状態で、表示させたい項目表示部２１の後側に配置されたＬＥＤランプ５１を発光させると、ＬＥＤランプ５１の光が第１貫通孔３４および第２貫通孔４１を通り表示させたい項目表示部２１を後側から照らすことができる。これにより、表示盤１の前側にいる人は、項目表示部２１が明るく光って表示されていることを視認することができる。
【００２８】
次に、上述した本発明の第１実施形態による表示盤１の作用・効果について図面を用いて説明する。
第１実施形態による表示盤１では、第２パネル４は、第２貫通孔４１の側方へ光が透過しないように構成されていることにより、ＬＥＤランプ５１の光を第２貫通孔４１の側方に漏らさずに表示シート２の項目表示部２１に当てることができる。これにより、ＬＥＤランプ５１が発光した際に第２貫通孔４１の内側と側方との明るさの差が明確となるため、表示シート２の項目表示部２１をその周囲よりもより明るく光らせることができる。
【００２９】
また、第２パネル４は、弾性変形可能に構成されていることにより、第２パネル４を弾性変形させて第１パネル３に追従させて密着させることができ、第１パネル３と第２パネル４との隙間からＬＥＤランプ５１の光が漏れることを防止できる。また、第１パネル３と第２パネル４との間に寸法の誤差が生じたとしても、第２パネル４を弾性変形させることにより寸法の誤差を吸収することができる。
また、第２パネル４を弾性変形させてＬＥＤ基板５に追従させて密着させることができるため、ＬＥＤ基板５と第２パネル４との間に寸法の誤差が生じたとしても、第２パネル４を弾性変形させることにより寸法の誤差を吸収することができる。
【００３０】
（第２実施形態）
次に、本発明の第２実施形態について、添付図面に基づいて説明するが、上述の第１実施形態と同一又は同様な部材、部分には同一の符号を用いて説明を省略し、第１実施形態と異なる構成について説明する。
図５に示すように、第２実施形態による表示盤１Ｂでは、第２パネル４Ｂが厚さ方向（前後方向）に重なった３層構造となっている。第２パネル４Ｂの３層を、前側から後側に向かって第１層４３、第２層４４、第３層４５とすると、第１層４３、第２層４４、第３層４５は、それぞれ発泡樹脂やゴムなどの弾性変形可能な材料で、板面の外形が横長の長方形となる平板状に形成されている。第２実施形態の第２パネル４Ｂは、第１層４３、第２層４４、第３層４５が重なった状態で第１実施形態の第２パネル４と略同じ外形となっている。
【００３１】
第１層４３、第２層４４、第３層４５には、第１パネル３の第１貫通孔３４と重なる位置にそれぞれ厚さ方向に貫通する開口部４３ａ，４４ａ，４５ａが形成されている。第１層に形成された開口部を第１開口部４３ａとし、第２層に形成された開口部を第２開口部４４ａとし、第３層に形成された開口部を第３開口部４５ａとする。
第１開口部４３ａは、第１貫通孔３４と略同じ外形に形成され、第２開口部４４ａは第１開口部４３ａよりもやや小さい外形に形成され、第３開口部４５ａは、第２開口部４４ａよりもやや小さい外形に形成されている。前後方向に重なった第１開口部４３ａ、第２開口部４４ａおよび第３開口部４５ａの内側の空部を第２貫通孔４１Ｂとすると、第２貫通孔４１Ｂは、後側から前側に向かって外形が大きくなるテーパ状に形成されている。
【００３２】
第２実施形態による表示盤１では、第２パネル４Ｂが前後方向に重なった３層構造となり、前側に設けられる層の開口部よりも後側の層に形成される開口部のほうが大きく形成されることにより、これらの開口部の内部の空部で形成される第２貫通孔４１Ｂを後側から前側に向かって径が大きくなるテーパ状に形成することができる。
第２パネルが、例えば１枚の板状のスポンジであると、テーパ状の第２貫通孔を形成しにくいが、本実施形態のように第２パネル４が、３枚のスポンジの層４３〜４５であると、３枚の層４３から４５のそれぞれに径を変えて開口部４３ａ〜４５ａを形成することで、テーパ状の第２貫通孔４１Ｂを容易に形成することができる。
第２貫通孔４１Ｂがテーパ状に形成されることにより、ＬＥＤランプ５１の光を拡散させつつ項目表示部２１に確実に当てることができる。
【００３３】
以上、本発明による表示盤１の実施形態について説明したが、本発明は上記の実施形態に限定されるものではなく、その趣旨を逸脱しない範囲で適宜変更可能である。
例えば、上記の実施形態では、第２パネル４は、弾性変形可能に構成されているが、弾性変形可能に構成されていなくてもよい。
また、上記の第２実施形態では、第２パネル４は、３層構造であるが、２層や４層以上の構造であってもよい。また、第２貫通孔４Ｂの形状はテーパ状以外であってもよい。
また、上記の実施形態では第１パネル３等は、幅方向に長い形状であるが、上下方向に長い形状としてもよい、幅方向の寸法と上下方向の寸法とが同じ長さとなる形状としてもよいし、また、四角形以外の適宜の形状を取るようにしてもよい。
【符号の説明】
【００３４】
１，１Ｂ  表示盤
２  表示シート
３  第１パネル
４，４Ｂ  第２パネル
５  ＬＥＤ基板（発光部）
３４  第１貫通孔
４１，４１Ｂ  第２貫通孔
４３  層（第１層）
４４  層（第２層）
４５  層（第３層）
４３ａ  開口部（第１開口部）
４４ａ  開口部（第２開口部）
４５ａ  開口部（第３開口部）
５１  ＬＥＤランプ（発光体）
【図１】
2019032421.tif 000003
【図２】
2019032421.tif 000004
【図３】
2019032421.tif 000005
【図４】
2019032421.tif 000006
【図５】
2019032421.tif 000007